(57)【要約】      （修正有）【課題】郵政法の定める規制の範囲内において、できるだけ大きな印刷面積を確保し、しかも受取人にどこを開くのかを視覚的に分かり易く伝えることができる圧着葉書を提供する。【解決手段】発送時の状態において、互いに重ね合わされた複数の紙部の対向面が互いに剥離可能な接着手段によって接着されている、実質的に矩形の圧着葉書であって、複数の紙部は、少なくとも、裏面側から表面側に向かって順に重ねられた第一紙部、第二紙部及び第三紙部を有し、これら第一紙部乃至第三紙部は、第一の辺に沿って互いに結合されたブック形をなしており、発送時の状態において、第二紙部は、第一紙部の対向面の一部分が露出するように第一紙部よりも小さく、また、第三紙部は、第二紙部の対向面の一部分が露出するように第二紙部よりも小さい圧着葉書。【選択図】図１
0003144101.tif 000002
【実用新案登録請求の範囲】
【請求項１】
発送時の状態において、互いに重ね合わされた複数の紙部の対向面が互いに剥離可能な接着手段によって接着されている、実質的に矩形の圧着葉書であって、
前記複数の紙部は、少なくとも、裏面側から表面側に向かって順に重ねられた第一紙部、第二紙部及び第三紙部を有し、これら第一紙部乃至第三紙部は、第一の辺に沿って互いに結合されたブック形をなしており、
前記発送時の状態において、前記第二紙部は、前記第一紙部の対向面の一部分が露出するように前記第一紙部よりも小さく、また、前記第三紙部は、前記第二紙部の対向面の一部分が露出するように前記第二紙部よりも小さい、ことを特徴とする圧着葉書。
【請求項２】
前記第一紙部及び第二紙部の露出した面は互いに隣接して配置されている、ことを特徴とする請求項１に記載の圧着葉書。
【請求項３】
前記第一紙部の対向面の一部分は、前記第一の辺とは反対側の第二の辺に沿った第一の帯状部分である、ことを特徴とする請求項１又は２に記載の圧着葉書。
【請求項４】
前記第二紙部の対向面の一部分は、前記第二の辺に沿った第二の帯状部分である、ことを特徴とする請求項１〜３のいずれか１項に記載の圧着葉書。
【請求項５】
前記第二紙部及び/又は前記第三紙部の前記第二の辺は直線状である、ことを特徴とする請求項３又は４に記載の圧着葉書。
【請求項６】
前記第一紙部の対向面の一部分は、前記第一の辺とは反対側の第二の辺側の上角部及び/又は下角部である、ことを特徴とする請求項１又は２に記載の圧着葉書。
【請求項７】
前記第二紙部の対向面の一部分は、前記第一の辺とは反対側の第二の辺側の上角部及び/又は下角部に配置されている、ことを特徴とする請求項１、２又は６に記載の圧着葉書。
【請求項８】
前記第一紙部の対向面の一部分は、前記第１の辺に対して横方向の第３の辺又は第４の辺に沿った帯状の部分である、ことを特徴とする請求項１又は２に記載の圧着葉書。
【請求項９】
前記第二紙部の対向面の一部分は、前記第１の辺に対して横方向の第３の辺又は第４の辺に沿った帯状の部分である、ことを特徴とする請求項１、２又は８に記載の圧着葉書。
【請求項１０】
発送時の状態において、互いに重ね合わされた複数の紙部の対向面が互いに剥離可能な接着手段によって接着されている圧着葉書であって、
前記複数の紙部は、少なくとも、裏面側から表面側に向かって順に重ねられた第一紙部、第二紙部及び第三紙部を有し、これら第一紙部乃至第三紙部は、表面を見たとき、第一の側縁に沿って互いに結合されたブック形をなしており、
前記発送時の状態において、前記第二紙部は、前記第一紙部の対向面の一部分が露出するように前記第一紙部よりも小さく、また、前記第三紙部は、前記第二紙部の対向面の一部分が露出するように前記第二紙部よりも小さい、ことを特徴とする圧着葉書。
【請求項１１】
前記第一紙部及び第二紙部の露出した面は互いに隣接して配置されている、ことを特徴とする請求項１０に記載の圧着葉書。
【考案の詳細な説明】
【技術分野】
【０００１】
本考案は、ダイレクトメール等において使用する圧着葉書に関する。
【背景技術】
【０００２】
葉書は、郵政法において決められた範囲内のサイズ及び重さのものであれば、第二種郵便として所定の郵送料で送ることができる。ダイレクトメール等を発送する会社は、郵送コストを低くしつつ、印刷面積を大きくするため、上記の範囲内の大きさの複数の紙部の面に宣伝文等を印刷し、発送時においては、これらの対向面を互いに剥離可能な粘着手段によって密着させて一枚の葉書とした圧着葉書を使用している。受取人は葉書の各紙部を剥離して開き、内面に印刷された宣伝文等を読む。
このような圧着葉書には、開いたときの状態を葉書の表面に対して上側から見たときの形状を文字の形に例えて、紙部の重ね方が、所謂「Ｖ折り」（葉書の２倍の幅を有する紙を２つ折りにし、又は、２枚の紙部を長辺に沿って連結してＶ字形としたもの）、「Ｚ折り」（葉書の３倍の幅を有する紙、又は、３枚の紙部を長辺に沿って連結した紙を、ジャバラ状の三つ折りにしてＺ字形としたもの）、また、「三つ折り」（葉書の３倍の幅を有する紙、又は、３枚の紙部を長辺に沿って連結した紙を同じ方向に巻き折りしたもの）がある。
【考案の開示】
【考案が解決しようとする課題】
【０００３】
このような圧着葉書のうち、「Ｖ折り」と称されるものは、紙面の面積が他の種類のものよりも小さく、印刷することができる情報量が少なくなるが、受取人は一枚の紙部を剥がすだけなので、剥がし忘れが生じない。一方、所謂「Ｚ折り」及び「三つ折り」は、より大きな印刷面積を確保できるが、「Ｚ折り」や「三つ折り」であると気づかず、「Ｖ折り」であると勘違いして、すべての紙部を開かない場合がある。
したがって、本考案の目的は、郵政法の定める規制の範囲内において、できるだけ大きな印刷面積を確保し、しかも受取人にどこを開くのかを視覚的に分かり易く伝えることができる圧着葉書を提供することにある。
【課題を解決するための手段】
【０００４】
本考案の上記目的は、発送時の状態において、互いに重ね合わされた複数の紙部の対向面が互いに剥離可能な接着手段によって接着されている、実質的に矩形の圧着葉書であって、複数の紙部は、少なくとも、裏面側から表面側に向かって順に重ねられた第一紙部、第二紙部及び第三紙部を有し、これら第一紙部乃至第三紙部は、第一の辺に沿って互いに結合されたブック形をなしており、発送時の状態において、第二紙部は、第一紙部の対向面の一部分が露出するように第一紙部よりも小さく、また、第三紙部は、第二紙部の対向面の一部分が露出するように第二紙部よりも小さい、ことを特徴とする圧着葉書によって達成することができる。本考案によれば、上記露出した部分が表面側にあらわれるので、葉書の片側（表面側）を一見するだけで開けるべき部分が視覚的に明確に分かるので、ページの開け忘れを防止することができる。
【０００５】
また、本考案の実施の形態によれば、第一紙部及び第二紙部の露出した面は互いに隣接して配置されている。上記露出した部分が同じ表面側に、且つ、互いに隣接して配置されているので、開けるべき部分が更に視覚的に分かり易くなり、開け忘れをより確実に防止することができる。
【０００６】
更に、本考案の別の実施の形態によれば、第一紙部の対向面の一部分は、第一の辺とは反対側の第二の辺に沿った第一の帯状部分である。また、第二紙部の対向面の一部分は、第二の辺に沿った第二の帯状部分であってもよい。これらの実施の形態によれば、縁の部分に上記露出部分を配置しているので、印刷する紙面に関する自由度に影響が少なく、且つ、開けるべき箇所を目立たせることができる。第二紙部及び/又は第三紙部の第二の辺は直線状であってもよい。
【０００７】
更に、第一紙部の対向面の一部分は、第一の辺とは反対側の第二の辺側の上角部及び/又は下角部に配置されていてもよく、また、第二紙部の対向面の一部分は、第一の辺とは反対側の第二の辺側の上角部及び/又は下角部に配置されていてもよい。
また、第一紙部の対向面の一部分は、第１の辺に対して横方向の第３の辺又は第４の辺に沿った帯状の部分であってもよく、更に、第二紙部の対向面の一部分は、第１の辺に対して横方向の第３の辺又は第４の辺に沿った帯状の部分であってもよい。
【考案の効果】
【０００８】
本考案によれば、郵政法の定める規制の範囲内において、できるだけ大きな印刷面積を確保し、しかも受取人にどこを開くのかを視覚的に分かり易く伝えることができる圧着葉書を提供することができる。
【考案を実施するための最良の形態】
【０００９】
以下、図１及び図２を参照しつつ、本考案を実施するための最良の形態について説明する。
まず、本明細書において、「ブック形」とは、本のように、紙部の一辺に沿って複数の紙部が互いに分離しないように連結されている構造を意味する（一例を図２に示す）。その紙部は、連結前の状態において、互いに切り離されたものであっても、また、１枚の紙を２つ折りにして２枚の紙部としたものを重ねたものであってもよい。
また、本明細書において、「表面」の用語は、切手を貼る面に限定するものではなく、２面のいずれの面を表面としてもよい。
【００１０】
図１は、本実施形態にかかる発送時の接着状態の圧着葉書を示す。また、図２は、図１に示す各紙部を剥がして開いた状態を示す。そのうち、図１(a)は圧着葉書の表面を、同(b)は裏面を、同(c)は左側面を、同(d)は右側面を、同(e)は上面を示す。
図１に示す圧着葉書２は発送状態における接着状態のものであり、矩形の複数の紙部４，６，８が互いに重ね合わされており、それらの対向面が互いに剥離可能な接着手段（図示せず）によって接着されている。より詳細には、本実施形態にかかる圧着葉書２は、図１に示すように、裏面Ｂ側から表面Ｆ側に向かって順に重ねられた第一紙部４、第二紙部６及び第三紙部８を有する。これら第一紙部４乃至第三紙部８は、同一側（図１において右側）の縦方向の第一の長辺１０に沿って互いに結合されたブック形（図２を参照）をなしている。第一紙部４は郵政法で定める葉書の大きさの範囲内の大きさとされており、第一紙部４の横幅（短辺１２，１４の長さ）はＷ１である。第二紙部６の幅Ｗ２は、第一紙部４の幅Ｗ１よりもＤ１だけ狭い。したがって、接着状態において、第一の長辺１０の反対側の第二の長辺１６に沿って、第一紙部４の対向面の一部分が露出している（符号１８）。更に、第三紙部８の幅Ｗ３は、第二紙部６の幅Ｗ２よりもＤ２だけ幅の狭い。したがって、接着状態において、第二紙部６の対向面の一部分が第二の長辺１６に沿って露出している（符号２０）。
【００１１】
更に詳細に第一紙部４及び第二紙部６の露出部分１８，２０について説明すると、これらは、同じ表面Ｆ側に配置されている。本実施形態においては、これらの露出部分１８，２０は、互いに隣接して並行に延びており、また、各露出部分１８，２０は、まっすぐな帯状である。更に、それらの幅Ｄ１及びＤ２は互いに実質的に等しい幅Ｄ１，Ｄ２とされている。
【００１２】
第一紙部４乃至第三紙部８のそれぞれの内面及び外面に、宣伝広告文等が印刷されており、これらの対向面全体が、フィルム圧着、糊圧着、ニス圧着、その他の周知の剥離可能な接着手段によって互いに圧着され、１枚の圧着葉書２とされている。
【００１３】
本実施形態にかかる圧着葉書２を受取った者は、表面Ｆ側の２箇所の露出部分１８，２０を見て、圧着葉書２が３枚重ねであることを知り、図２に示すようなブック形となるように、第二紙部６及び第三紙部８を剥がして開き、内面に記載された宣伝広告等を読む。
【００１４】
本実施形態にかかる圧着葉書２によれば、上記露出部分１８，２０が、圧着葉書２の同じ側に配置されているので、受取人が何枚重ねであり、何枚剥がすべきかを視覚的に知ることができ、受取人による剥がし忘れを防止することができる。
また、露出部分１８，２０が互いに隣接して配置されているので、受取人に圧着葉書２が何枚重ねかを視覚的に更に明確に知らせることができる。
更に、露出部分１８，２０が長辺１６全体に沿っているので、受取人が剥すべき部分を明確に知ることができるだけでなく、各紙部４，６，８を容易に剥がすことができる。
【００１５】
本考案は、以上の実施の形態に限定されることなく、特許請求の範囲に記載された考案の範囲内で種々の変更が可能であり、それらも本考案の範囲内に包含されるものであることはいうまでもない。
【００１６】
例えば、本実施形態にかかる圧着葉書２においては、裏面Ｂ側から表面Ｆ側に向かって順に重ねられた３枚の紙部４，６，８を有するが、紙部の枚数は、必要な印刷面積に応じて更に追加してもよい。追加の紙部についても、同じ面の側に露出部分を配置するようにするのが望ましい。
また、本実施形態においては露出部分１８，２０は真っ直ぐな帯状であるが、紙部４，６，８の縁は必ずしも真っ直ぐでなくてもよい。
【００１７】
更に、露出部分１８，２０は互いに隣接して配置されているが、露出部分は同じ面の側に配置されていれば、必ずしも互いに隣接していなくてもよく、例えば、長辺側と短辺側に配置しても、また、辺側と角部に配置してもよい。
更に、露出部分１８，２０の形状は帯状に限らず、他の形状であってもよい。
更に、圧着葉書２は郵便法が定める第２種郵便の大きさの範囲内のものであれば、郵送コストを低くすることができる点で有利であるが、圧着葉書は必ずしも定められた大きさや矩形である必要はない。
【図面の簡単な説明】
【００１８】
【図１】本実施形態にかかる発送時の接着状態の圧着葉書を示し、 (a)は圧着葉書の表面を、(b)は裏面を、(c)は左側面を、(d)は右側面を、(e)は上面を示す。
【図２】図２は、図１に示す各紙部を剥がして開いた状態を示す。
【符号の説明】
【００１９】
２  圧着葉書
４  第一紙部
６  第二紙部
８  第三紙部
１０  第一の長辺
１２  短辺
１４  短辺
１６  第二の長辺
１８  第一の露出部分（第一の帯状部分）
２０  第二の露出部分（第二の帯状部分）
Ｆ  表面
Ｂ  裏面
【図１】
0003144101.tif 000003
【図２】
0003144101.tif 000004